(57)【要約】変位装置が、インラインローラスケートなどのスケート用履物を提供する。変位装置は、後退状態にローラを解放可能に保持する対応ロッドロッド部材にそれぞれ連結される伸長トリガーと、伸長状態にローラを解放可能に保持する対応ロッドロッド部材にそれぞれ連結される後退トリガーとを有する。伸長トリガーと後退トリガーの手動動作は、必要なインラインローラの伸びる又は後退が可能である。後退時、ローラは靴の底部の空洞内に便利に収容され、従って、通常の歩行が可能となる。
2005525838.tif 000002
【特許請求の範囲】
【請求項１】
滑走手段を有する履物の変位装置であって、
前記変位装置が滑走手段の回転的変位を開始するように作動可能な駆動手段を含み、
前記駆動手段が、伸長状態にある前記滑走手段を解放可能に保持する一つ以上の対応するロッド部材にそれぞれ連結される一つ以上の後退トリガーと、後退状態にある前記滑走手段を解放可能に保持する一つ以上の対応するロッド部材にそれぞれ連結される一つ以上の伸長トリガーとを含む変位装置。
【請求項２】
第一の摺動可能なロッド部材および第二の摺動可能なロッド部材にそれぞれ連結された第一後退トリガー及び第二後退トリガーを含む請求項１に記載の変位装置。
【請求項３】
前記第一摺動可能ロッド部材、及び前記第二の摺動可能なロッド部材は、前記変位装置内の対応する開口に解放可能に係合する請求項２に記載の変位装置。
【請求項４】
前記後退部トリガーは、それぞれ、前記摺動可能なロッド部材が、前記対応開口から解放されることによって、前記滑走手段の後退を開始するように手動で作動可能である請求項３に記載の変位装置。
【請求項５】
前記第一ロッド部材、及び前記第二ロッド部材は、反対方向に摺動可能である請求項２に記載の変位装置。
【請求項６】
前記滑走手段が、後退状態にある場合、前記変位装置の開口に解放可能に係合する摺動可能なロッド部材に連結された伸長トリガーを含む請求項１に記載の変位装置。
【請求項７】
前記伸長トリガーは、前記摺動可能なロッド部材を、前記開口から解放することによって、前記滑走手段の伸長を開始するように手動で作動可能である請求項６に記載の変位装置。
【請求項８】
前記伸長トリガーは、前記摺動可能なロッド部材を、前記開口から解放するように作動可能である突起を備える、手動で作動可能なボタンを含む請求項７に記載の変位装置。
【請求項９】
滑走手段を有する履物のための変位装置であって、前記変位装置が、前記履物の下面に取り付け可能なブラケットと、前記滑走手段の回転的変位を開始するように作動可能な駆動手段とを有し、前記駆動手段が、前記滑走手段が伸長状態にある場合、前記ブラケットの第一開口及び第二開口にそれぞれ解放可能に係合する、第一の摺動可能なロッド部材及び第二の摺動可能なロッド部材に連結される第一後退トリガー及び第二後退トリガーと、前記滑走手段が後退状態にある場合に、前記ブラケットの第三開口に解放可能に係合する第三摺動可能ロッド部材に連結される伸長トリガーとを含み、前記伸長トリガーが、前記第三の摺動可能なロッド部材を、前記第三開口から解放することによって、前記滑走手段の伸長を開始するように作動可能である突起部を備える手動で作動可能なボタンを含む変位装置。
【請求項１０】
インラインローラ靴に取り付けられる変位装置であって、前記変位装置が、取り付け用のブラケットと、インラインホイールの回転的変位を開始するように作動可能な駆動手段とを有し、前記駆動手段は、前記インラインホイールが伸長状態にある場合、前記取り付け用のブラケットにある第一開口及び第二開口に解放可能にそれぞれ係合する第一の摺動可能なロッド部材及び第二の摺動可能なロッド部材にそれぞれ連結される第一後退トリガー及び第二後退トリガーと、前記インラインホイールが後退状態の場合、前記取り付け用のブラケット内の第三開口に解放可能に係合する第三の摺動可能なロッド部材に連結され
る伸長トリガーとを含み、前記伸長トリガーが、前記第三の摺動可能なロッド部材を、前記第三開口から解放することにより、前記滑走手段の伸長を開始するように作動可能である突出部を含む手動で使用可能なボタンを含む変位装置。
【請求項１１】
請求項１乃至９のいずれか１項に記載の変位装置を含むスケート用履物。
【請求項１２】
前記滑走手段は、３つのインラインホイールを含む請求項１１に記載のスケート用履物。
【請求項１３】
前記滑走手段は、後退時に前記履物の下面内にほぼ収容される請求項１２に記載のスケート用履物。
【請求項１４】
添付図面を参照して本発明で実質的に記載された変位装置。
【請求項１５】
添付図面を参照して本発明で実質的に記載されたスケート用履物。
【発明の詳細な説明】
【技術分野】
【０００１】
本発明はスケート用履物に適用可能な変位装置に関する。より詳細には、本発明は、一つ以上のローラ、ホイール、またはブレードを、スケート靴の底の空洞空洞内（ここに限定されるわけではない）に後退させたり、同空洞内から伸長させたりする後退ための装置に関する。本発明は、スケートの着用者が、ローラ、ホイール、ブレードを後退させたり後退、伸長させたりできることにより、必要に応じて、その靴を通常の歩行に使用したり、あるいはスケートに使用したりすることが可能となる。
【背景技術】
【０００２】
ローラスケート、アイススケート、ローラブレード等のような、遊戯及びスポーツ用の履物が周知である。さらに、スケートと、およびスケートによって妨害されることなく歩行に適した靴との双方として機能し得る履物の製造が公知になっている。この目的のため、スケート用履物が開発されているため、ローラ又はスケートが、スケート又はローラブレードのために地面に係合する伸長状態と、通常の歩行を可能にする後退後退状態との間で変位可能である。
【０００３】
典型的に、後退可能なスケートを内蔵する履物は、後退時にスケートを収容する履物の下面又は靴底に、凹部又は空洞空洞を有する。スケートが凹部への後退すること、及びスケートが凹部から地面に係合する位置へ伸長することにより、それぞれ、通常歩行用の使用、又はスケート用の使用が選択可能となる。
【０００４】
後退可能、及び／又は、伸長可能な滑走手段を有するスケート用履物は、特許文献１、特許文献２、および特許文献３などに、色々と記載されている。
しかしながら、これら多くのスケート用履物のための変位装置は、操作し難く、製造が複雑で費用がかかり、スケート用として使用時に、滑走手段が不慮に後退し易い。使用中にスケートが後退してしまうという問題は、スケートをする人を負傷させる可能性がある。前述した種類のスケート用履物の一般的な満足度と商業的な人気は、上記の困難性の一部により危うくされてきた。
【特許文献１】国際公開公報第０１／８５２７１号
【特許文献２】国際公開公報第００／１６８６２号
【特許文献３】米国特許第５８０３４６９号
【発明の開示】
【発明が解決しようとする課題】
【０００５】
本発明は、従来の一般的に扱いにくく複雑な装置を、スケート用履物のローラ、ホイール、又はスケートを後退状態から伸長状態に、伸長状態から後退状態に変位させるための、単純で、使用が容易で、かつ安全な装置を発明することによって解決することを意図している。
【０００６】
従って、本発明の目的の一つは、従来の一つ以上の課題又は困難性を解決するスケート用履物のための変位装置を提供し、少なくとも便利な、商業的に魅力的な代替案を提供する。
【課題を解決するための手段】
【０００７】
一様態において、本発明は、滑走手段を有する履物のための変位装置を提供し、変位装置は、該滑走手段の回転的変位を開始するように作動可能な駆動手段を含む。前記駆動手段は、一つ以上の後退トリガー及び一つ以上の伸長トリガーを含み、どちらも、一つ以上
のロッド部材にそれぞれ連結されている。各ロッド部材は、履物の底面に取り付け可能である装着手段にそれぞれ係合可能である。
【０００８】
別の様態において、本発明は、第一様態の変位装置を含むスケート用履物を提供する。
適切には、駆動手段は、滑走手段の通常歩行用状態への滑走手段回転的後退を開始するように作動可能であり、かつ滑走手段の地面に係合する位置への滑走手段の回転的伸長を開始するように作動可能である。
【０００９】
好適には、駆動手段は、第一トリガーと第二トリガーを含む。
好適には、駆動手段は伸長トリガーを含む。
好適には、駆動手段は、履物の下面に配置される。
【００１０】
好適には、駆動手段は、駆動手段の手動動作を容易にするために、一つ以上の摺動ロッド、押しボタン、又はプッシュロッド、レバー、リングプル、プーリー、ケーブルなど駆動手段を含む。
【００１１】
滑走手段は、一つ以上のホイール又はローラを含み得る。ホイール又はローラは、インラインローラ靴又はローラブレードなどのように「一列に並んで（インライン）」いてもよく、従来のローラスケートのように、対をなして共通の軸に取り付けられていてもよい。
【００１２】
本発明によって意図される別の滑走手段は、アイススケートなどで使用される、ブレードである。
適切には、滑走手段は、履物に回転可能に取り付けられる。
【００１３】
好適には、滑走手段は、ローラ、ホイール、ブレードが取り付けられるキャリッジによって、履物に回転可能に取り付けられる。
好適には、変位装置装着手段は、靴の底面に取り付け可能なフレーム、ブラケット、ブレース、などである。この場合、キャリッジは装着手段に回転可能に取り付けられる。
【００１４】
後退時、フレームおよびホイールが、履物の底面の延長部すなわちハウジング内に少なくとも部分的に収容される。これは国際公開公報第０１／８５２７１号に記載され、参照により、本願に援用される。
【００１５】
従って、本発明は、比較的、単純で、安全で、効率的で、容易に装置を使用できるような方法で、いかなる種類のスケート用履物にも容易に適用可能な滑走手段の変位を提供する。
【００１６】
明細書全体で、特に示すことなく、「含む(comprise)」「含む(comprises)」「含んで
いる(co mprising)」は、排他的というよりも包括的であるため、記載した数、又は集合
の数は、一つ以上の記載されていない数、又は集合の数を含み得る。
【発明を実施するための最良の形態】
【００１７】
図１に示される実施形態によると、インラインローラ靴の形態にある、スケート用履物１０は、靴１１と変位装置１２を含む。滑走手段１３は、それぞれ、軸１７Ａ，１７Ｂ、１７Ｃによってそれぞれ、変位装置１２のキャリッジ１６の平行部材１５Ａ，１５Ｂに回転可能に取り付けられる３つのインラインホイール１４Ａ，１４Ｂ，１４Ｃを有する。変位装置１２は、更に靴１１の下面２０内の空洞１９内に適合するブラケット１８を含む。靴の下面２０は、更に、ホイール１４Ａ，１４Ｂ，１４Ｃが、図３のように後退している場合、ホイール１４Ａ，１４Ｂ，１４Ｃがその中に適合する波型部２１Ａ，２１Ｂ，２１
Ｃを備える。国際公開公報第０１／８５２７１号に記載されるように、靴の下面２０は、滑走手段１３が後退状態の場合に、歩行表面を提供する、下面２０から突出する延長部又は、すなわちハウジングを有する。
【００１８】
変位装置１２は、滑走手段１３の回転的変位を開始するために手動で作動可能な第一後退トリガー２５Ａ、第二後退トリガー２５Ｂ、及び伸長トリガー３１を有する。
図１で示される伸長状態では、第一ロッド部２２Ａ、及び第二ロッド部２２Ｂは、ブラケット１８の端部板２４Ａ，２４Ｂに配置される第一開口２３Ａ、第二開口２３Ｂ内にそれぞれ延びることにより、伸長状態の滑走手段１３の維持を補助する。第一後退トリガー２５Ａ、第二後退トリガー２５Ｂは、それぞれ第一摺動ロッド２２Ａ、第二摺動ロッド２２Ｂに連結したタブ２６Ａ、２６Ｂを含む。滑走手段１３の後退を開始するために、第一後退トリガー２５Ａ、および第二後退トリガー２５Ｂは、タブ２６Ａ，２６Ｂを手で把持することによって、矢印２７Ａ，２７Ｂの方向に移動される。ロッド２２Ａ，２２Ｂのこの反対方向への摺動可能な移動は、それぞれ第一ロッド２２Ａおよび第二ロッド２２Ｂに取り付けられ、カラー２９Ａ，２９Ｂに当接するバネ２８Ａ，２８Ｂの働きに逆らう。この位置において、伸長トリガー３１のタブ３２は、カラー２９Ｃに当接する。
【００１９】
図２Ａ，２Ｂによく示されるように、キャリッジ１６は、ブラケット１８の端部板２４Ａ，２４Ｂの間を延びるピン３０を中心として回転する。従って、キャリッジ１６、キャリッジに取り付けられるホイール１４Ａ，１４Ｂ，１４Ｃは、固定ブラケット１８に関して回転動作が可能である。後退中、キャリッジ１６、及びキャリッジに取り付けられる滑走手段１３は、図１に示されるように、後退位置の空洞１９内に回転する。第三棒２３Ｃは、図２Ａ及び２Ｂの矢印によって示される経路に沿って回転動作をする。
【００２０】
図３を参照すると、滑走手段の後退を達成するために、第三ロッド２２Ｃが、カラー２９Ｃに当接するバネ２８Ｃによって補助されるブラケット１８ブラケットの第三開口２３Ｃ内に延びる。従って、第三ロッド２２Ｃは、図３に示される後退状態にある滑走手段１３の保持を補助する。
【００２１】
滑走手段１３の伸長を開始するために、第三ロッド２２Ｃに連結されるタブ３２を含む伸長トリガー３１は、矢印２７Ｃの方向に動かされることにより、第三ロッド２２Ｃが開口２３から解放される。次に、キャリッジ１６は、靴１１の下面２０にある空洞１９から、図１および図２Ａに示される伸長状態に回転される。図１に示されるように、バネ２８Ａ，２８Ｂはそれぞれ、第一ロッド２２Ａ，第二ロッド２２Ｂが、ブラケット１８内の第一開口２３Ａと第二開口２３Ｂの中にそれぞれ、延びることを補助することによって、滑走手段１３を伸長状態に維持するのを補助する。滑走手段１３の伸長状態は、ヘアピン状バネによって、補助される。
【００２２】
タブ２６Ａ，２６Ｂ，２６Ｃが、後退トリガー２５Ａ，２５Ｂ，伸長トリガー３１のそれぞれが、手動操作時に親指と人差し指の間などで容易に把持され得るようにする手段を提供することが理解されよう。しかし、当業者であれば、リング、ホック、ブロック、又は手動動作でつかむことが可能な刻み目若しくは輪郭を有する表面を伴うパッド等、他の様々な把持手段が、使用され得ることに想到するであろう。
【００２３】
図４，５を参照すると、ボタン１４０がブラケット１１８に取り付けられる実施例が示されている。ボタンは、滑走手段１１３の伸長を開始することを補助するように手動で作動可能であり、手動で開口１２３Ｃに押された場合、ボタン１４０の突出部１４１が、ロッド１２２Ｃを第三開口１２３Ｃの外に移動し、従って、第三ロッド１２２Ｃが第三開口１２３Ｃから解放される。ボタン１４０は、ネジ式開口１５２，１５３に係合するネジ１５１を手段として、リベットなどの同様の手段により、ブラケット１１８に取り付けられ
得る。
【００２４】
また、図４に示されるように、突起１６０がキャリッジ１１６に当接することによって、伸長状態の場合に、キャリッジ１１６および滑走手段１１３の矢印１７０の方向への不要な移動を限定する。
【００２５】
さらに、図５の実施形態を詳細に参照すると、第一ロッド１２２Ａ及び第二ロッド１２２Ｂは、第一開口１２３Ａおよび第二開口１２３Ｂ内にそれぞれ位置する第一ロッド１２３Ａ及び第二ロッド１２３Ｂを保持するように作用する中間バネ１２８Ｄに対して、対向方向に摺動可能である。
【００２６】
第一ロッド１２２Ａ及び第三ロッド１２２Ｃが、端部板１２４Ａを通過し、開口１２３Ｃ内へと貫通するのを補助するために、導入部１８０が端部板１２４Ｂに設けられる。
一般に、本発明が、本発明の幅広い精神と範囲内において、変更及び改変が可能であることが認識されるであろう。例えば、後退トリガー及び伸長トリガーの数、ロッド及び対応する開口の数が様々であり得、キャリッジ及びブラケット内のロッド及び開口位置も同様に様々であり得る。
【００２７】
上記のように、本発明は、滑走手段の回転的変位を、いかなる種類のスケート用履物に迅速にも適用可能な、比較的単純で、効率的で使用が容易な装置の方法によって、提供し、このような履物が歩行用とスケート用の間の迅速な相互交換することを可能にする。
【００２８】
特に、本発明は、伸長時に、スケート靴と地面の間の最適な間隔を可能にし、靴の底部内にホイール又はスケートの完全な後退を可能にする。さらに、本発明の変位装置は、伸長状態から後退状態への及びその逆の、事故的な、又は意図していない動作の傾向を減少する。
【００２９】
本発明が、本明細書に記載された形態の特定の組合せに限定されないこと、および本願で示されたように本発明の幅広い範囲から逸脱することなく様々な変更及び改変が為され得ることが理解されるべきである。
【図面の簡単な説明】
【００３０】
【図１】延長部内に滑走手段を伴うスケート靴の下部平面図。
【図２Ａ】伸長状態の滑走手段の正面概略図。
【図２Ｂ】後退状態の滑走手段の正面概略図。
【図３】後退状態の滑走手段を伴うスケート靴の下部平面図。
【図４】滑走手段の後退を開始するボタンを有する変位装置のブラケットの実施形態の斜視図。
【図５】滑走手段の後退を開始するボタンを有する変位装置のブラケットの別実施形態の透視図。
【図１】
2005525838.tif 000003
【図２Ａ】
2005525838.tif 000004
【図２Ｂ】
2005525838.tif 000005
【図３】
2005525838.tif 000006
【図４】
2005525838.tif 000007
【図５】
2005525838.tif 000008
【国際調査報告】
2005525838.tif 000009
2005525838.tif 000010
2005525838.tif 000011